(57)【要約】【課題】架空線に取り付けが容易な電線用識別標識具を提供する。【解決手段】標識具１０は、識別体１と帯状の形状変化板２を備える。識別体１は、相反する向きに向かう一対の平坦な把持面１１・１１を有する。形状変化板２は、基端部２１が識別体１に固定され、先端部２２が外部に延びている。又、形状変化板２は、弾性を有している。形状変化板２は、識別体１から自立する伸長形状と、架空線１ｗを巻回する巻回形状とを相互に復元できる。伸長形状は、形状変化板２の長手方向と直交する断面が所定の反りを有している。巻回形状は、形状変化板２の反りが矯正されて、形状変化板２の長手方向に沿って螺旋状に架空線１ｗを巻回する。【選択図】図１
2011024311.tif 000002
【特許請求の範囲】
【請求項１】
少なくとも架空線に取り付ける電線用識別標識具であって、
相反する向きに向かう一対の平坦な把持面を有する識別体と、
基端部が前記識別体に固定され、先端部が外部に延びる弾性を有する帯状の形状変化板と、を備え、
前記形状変化板は、その長手方向と直交する断面が所定の反りを有して、前記識別体から自立する伸長形状と、前記反りが矯正されて当該形状変化板の長手方向に沿って前記架空線を巻回する巻回形状と、を相互に復元可能な電線用識別標識具。
【請求項２】
前記形状変化板は、前記架空線を螺旋状に巻回する請求項１記載の電線用識別標識具。
【請求項３】
前記形状変化板は、前記識別体の両翼に所定の間隙を有して一対に配置され、前記架空線を渦巻状に巻回する請求項１記載の電線用識別標識具。
【請求項４】
前記形状変化板は、金属板と、この金属板を被覆する絶縁部材と、を有する請求項１から３のいずれかに記載の電線用識別標識具。
【請求項５】
前記識別体及び前記形状変化板を有彩色で彩色している請求項１から４のいずれかに記載の電線用識別標識具。
【発明の詳細な説明】
【技術分野】
【０００１】
本発明は、電線用識別標識具に関する。特に、三相３線式の架空線に取り付けて、架空線の第１相から第３相を色の違いより識別させる標識具の構造に関する。
【背景技術】
【０００２】
電力会社などでは、三相３線の第１相（Ｒ相）・第２相（Ｓ相）・第３相（Ｔ相）を色に違いより識別させる標識具を高圧の架空線に取り付けて、誤配線による短絡及び地絡を防止している。
【０００３】
このような標識具としては、例えば、基端部が円弧状に結合されて、先端部が対向する一対の挟持片からなる絶縁性のクリップを用いることができる。そして、一対の挟持片の先端部を開いて、架空線に挿通することにより、このクリップの基端部を架空線に弾性的に保持できる（例えば、特許文献１参照）。
【０００４】
又、このような標識具としては、市販の標識具（クリップ）を用いることもできる。図７は、従来技術による標識具の構成を示す斜視図である。図７を参照すると、標識具８は、基端部が円弧状に結合された一対の湾曲腕８１・８２を有している。
【０００５】
図７を参照すると、一対の湾曲腕８１・８２は、それらの先端部が開閉できるように基端部を互いに連結している。一方の湾曲腕８１は、その先端部に向かって分岐する一対の分岐腕８１１・８１１を有している。他方の湾曲腕８２は、その先端部が一対の分岐腕８１１・８１１の間に位置して進退可能な単一腕８２１を有している。
【０００６】
図７を参照すると、一対の分岐腕８１１・８１１と単一腕８２１とは、相反する向きに向かう一対の湾曲面８１ａ・８２ａをそれらの外面に設けている。そして、一対の湾曲腕８１・８２の中央部が互いに近づくように力を付勢すると、一対の分岐腕８１１・８１１と単一腕８２１とが交差して、一対の湾曲面８１ａ・８２ａを対向できる。
【０００７】
図７を参照して、一対の湾曲面８１ａ・８２ａが対向した開口状態を維持しながら、標識具８を架空線１ｗに挿通する。次に、一対の湾曲腕８１・８２を解放すると、これらの湾曲腕８１・８２が弾性復帰して、一対の湾曲面８１ａ・８２ａで架空線１ｗの外周を挟持できる。
【０００８】
図７に示された標識具８は、成形された絶縁性の合成樹脂からなり、合成樹脂の弾性力を利用して、架空線１ｗを挟持して吊り下げている。そして、架空線１ｗの相別を標識具８の色分けにより、識別できるようにしている。
【先行技術文献】
【特許文献】
【０００９】
【特許文献１】特開２００８−２６３６６４号公報
【発明の概要】
【発明が解決しようとする課題】
【００１０】
架空線を無停電で配電工事を行う活線作業には、直接活線工法と間接活線工法の二通りがある。直接活線工法は、高圧ゴム手袋などの保護具を着用した作業者が、通電中の架空線に直接触れて配電工事を行う。一方、間接活線工法は、ホットスティック（絶縁操作棒）などを用いて、作業者が通電中の架空線に直接触れることなく配電工事を行うことができる。近年では、作業環境の改善の観点から、直接活線工法から間接活線工法へと転換が進行している。
【００１１】
ホットスティックは、先端部に配電工事を行う工具を備えており、この工具を手許の操作部で遠隔操作できる。配電工事を行う作業者は、例えば、把持工具を備えるホットスティックを用いて、安全に標識具を架空線に取り付けることができる。
【００１２】
しかしながら、図７に示した従来の標識具８は、把持工具で挟持する把持面が円弧状に湾曲しているので、把持した状態を維持するのが困難である、という問題がある。
【００１３】
又、図７を参照すると、従来の標識具８は、ホットスティックを用いて、一対の湾曲面８１ａ・８２ａが対向した開口状態を維持しながら、高所にある架空線１ｗを目指して、標識具８を挿通することが困難である、という問題がある。
【００１４】
更に、図７を参照すると、従来の標識具８は、架空線１ｗを挟持した状態では、一対の分岐腕８１１・８１１及び単一腕８２１には、常時、引張り応力が作用している。したがって、長期に亘っては、一対の分岐腕８１１・８１１及び単一腕８２１を破損し易いものとしている、という問題もある。
【００１５】
以上のことから、ホットスティックを用いて、架空線に取り付けが容易な電線用識別標識具が実現できれば、安全であり、電線用識別標識具の取り付け作業も効率化が促進される。又、耐久性のある電線用識別標識具が求められている。そして、以上のことが本発明の課題といってよい。
【００１６】
本発明は、このような課題に鑑みてなされたものであり、架空線に取り付けが容易であり、耐久性のある電線用識別標識具を提供することを目的とする。
【課題を解決するための手段】
【００１７】
本発明者らは、ホットスティックに設けた把持工具で把持容易な識別体と、この識別体から自立、又は架空線に巻回が可能な帯状の形状変化板とで電線用識別標識具を構成することにより、これらの課題が解決可能なことを見出し、これに基づいて、以下のような新たな電線用識別標識具を発明するに至った。
【００１８】
（１）本発明による電線用識別標識具は、少なくとも架空線に取り付ける電線用識別標識具であって、相反する向きに向かう一対の平坦な把持面を有する識別体と、基端部が前記識別体に固定され、先端部が外部に延びる弾性を有する帯状の形状変化板と、を備え、前記形状変化板は、その長手方向と直交する断面が所定の反りを有して、前記識別体から自立する伸長形状と、前記反りが矯正されて当該形状変化板の長手方向に沿って前記架空線を巻回する巻回形状と、を相互に復元可能となっている。
【００１９】
（２）前記形状変化板は、前記架空線を螺旋状に巻回することが好ましい。
【００２０】
（３）前記形状変化板は、前記識別体の両翼に所定の間隙を有して一対に配置され、前記架空線を渦巻状に巻回することが好ましい。
【００２１】
（４）前記形状変化板は、金属板と、この金属板を被覆する絶縁部材と、を有することが好ましい。
【００２２】
（５）前記識別体及び前記形状変化板を有彩色で彩色していることが好ましい。
【発明の効果】
【００２３】
本発明によれば、識別体に設けた一対の把持面をホットスティックに設けた把持工具で容易に把持できる。又、本発明によれば、識別体をホットスティックで把持して、架空線に形状変化板を衝撃すると、形状変化板の反りが矯正されて、架空線を瞬間的に巻回できる。
【００２４】
本発明による電線用識別標識具は、ホットスティックを用いて、架空線に容易に取り付けることができる。又、本発明による電線用識別標識具は、ホットスティックを用いれば、安全であり、電線用識別標識具の取り付け作業も効率化が促進される。
【図面の簡単な説明】
【００２５】
【図１】本発明の一実施形態による電線用識別標識具の構成を示す斜視図である。
【図２】前記実施形態による電線用識別標識具の構成を示す図であり、図２（Ａ）は、電線用識別標識具の正面図、図２（Ｂ）は、電線用識別標識具の右側面図である。
【図３】図２（Ａ）のＡ−Ａ矢視断面図である。
【図４】前記実施形態による電線用識別標識具を把持するホットスティックの斜視図である。
【図５】前記実施形態による電線用識別標識具を取り付ける架空線の斜視図である。
【図６】本発明の別の施形態による電線用識別標識具の構成を示す斜視図である。
【図７】従来技術による標識具の構成を示す斜視図である。
【発明を実施するための形態】
【００２６】
以下、図面を参照して本発明を実施するための形態を説明する。
【００２７】
最初に、本発明の一実施形態による電線用識別標識具の構成を説明する。図１は、本発明の一実施形態による電線用識別標識具の構成を示す斜視図である。図２は、前記実施形態による電線用識別標識具の構成を示す図であり、図２（Ａ）は、電線用識別標識具の正面図、図２（Ｂ）は、電線用識別標識具の右側面図である。図３は、図２（Ａ）のＡ−Ａ矢視断面図である。
【００２８】
図１から図３を参照すると、本発明の実施形態による電線用識別標識具（以下、標識具と略称する）１０は、架空線１ｗに取り付けることができる。標識具１０は、識別体１と帯状の形状変化板２を備えている。識別体１は、相反する向きに向かう一対の平坦な把持面１１・１１を有している。
【００２９】
図１から図３を参照すると、形状変化板２は、基端部２１が識別体１に固定され、先端部２２が外部に延びている。又、形状変化板２は、弾性を有している。
【００３０】
図１から図３を参照すると、形状変化板２は、その長手方向と直交する断面が所定の反りを有して、識別体１から自立する伸長形状とすることができる。又、形状変化板２は、反りが矯正されて、形状変化板２の長手方向に沿って架空線１ｗを巻回する巻回形状とすることができる。
【００３１】
図１から図３を参照すると、形状変化板２は、ばね鋼などの金属板２ａと金属板２ａを被覆する絶縁部材２ｂを有している。識別体１は、円環状の金属板１ａと金属板１ａを被覆する絶縁部材１ｂを有している。金属板２ａは、その基端部が金属板１ａの外周に溶接で固定されている。
【００３２】
ここで、本発明による標識具は、図１から図３に示された実施形態に限定されない。識別体１と形状変化板２とを絶縁性の合成樹脂で一体に成形してもよい。又、識別体１と形状変化板２とを絶縁性の合成樹脂で別体に成形した後に、識別体１と形状変化板２とを接合してもよい。
【００３３】
図１を参照すると、伸長形状の形状変化板２を架空線１ｗの外周に向かって衝撃すると、形状変化板２の反り（図３参照）が矯正されて、形状変化板２は、架空線１ｗを螺旋状に巻回できる。
【００３４】
次に、本発明の実施形態による標識具１０の作用を説明する。
【００３５】
図４は、前記実施形態による電線用識別標識具を把持するホットスティックの斜視図である。図５は、前記実施形態による電線用識別標識具を取り付ける架空線の斜視図である。
【００３６】
本発明の実施形態による標識具１０は、図４に示されるホットスティック９を用いて、架空線に取り付けることができる。図４を参照すると、ホットスティック９の先端部の工具部９１には、把持工具９０を取り付けている。把持工具９０は、開閉する一対の把持片９ａ・９ｂを備えている。一方の把持片９ａは、基端部が固定された固定片であり、他方の把持片９ｂは、その基端部が一方の把持片９ａに回動可能に連結する可動片となっている。
【００３７】
図４を参照すると、ホットスティック９は、柄部９３と略平行に作動棒９ｃを保持している。そして、作動棒９ｃの先端部は、他方の把持片９ｂに回動可能に連結している。一方、作動棒９ｃの基端部は、操作レバー９ｄに連結している。
【００３８】
図４を参照すると、操作レバー９ｄを操作部９２に近づけると、一対の把持片９ａ・９ｂを閉じることができる。操作レバー９ｄを操作部９２から離間すると、一対の把持片９ａ・９ｂを開くことができる。このように、把持工具９０は、操作レバー９ｄを操作して、標識具１０の把持面１１・１１を確実に把持できる（図１参照）。
【００３９】
図１から図３を参照すると、形状変化板２は、伸長形状にも巻回形状にも変化できるように、予め成形されている。図３を参照すると、形状変化板２は、その長手方向と直交する断面が円弧状の所定の反りを有しており、形状変化板２の長手方向に巻回する力に抗している。
【００４０】
図３を参照して、形状変化板２の反りが平坦になるように矯正すると、予め成形された巻回形状に復元できる（図１参照）。一方、図１に示された形状変化板２の巻回形状から伸長するように引き延ばし、更に、形状変化板２に反りが付与されるように矯正すると、予め成形された伸長形状に復元できる（図２及び図３参照）。
【００４１】
図１から図３を参照すると、形状変化板２はその凸面から架空線１ｗの外周に向かって衝撃することが好ましく、形状変化板２の反りが矯正されて、形状変化板２は、架空線１ｗを螺旋状に巻回できる。つまり、標識具１０を架空線１ｗに取り付けることができる。
【００４２】
図１から図３を参照すると、識別体１及び形状変化板２は、「赤」、「青」、「黄」などの有彩色で彩色されている。したがって、三相３線の架空線１ｗに標識具１０を取り付けて、第１相（Ｒ相）・第２相（Ｓ相）・第３相（Ｔ相）を色に違いより識別できる（図５参照）。
【００４３】
本発明の実施形態による標識具１０は、従来の標識具８と比較して、ホットスティック９を用いて、架空線１ｗに容易に取り付けることができる。本発明の実施形態による標識具１０は、ホットスティック９を用いて、架空線１ｗに取り付けるので、安全であり、電線用識別標識具の取り付け作業も効率化が促進される。
【００４４】
又、本発明の実施形態による標識具１０は、形状変化板２の復元力を利用しているので、架空線１ｗを挟持した状態では、形状変化板２に内部応力は殆ど作用しない。したがって、従来の標識具８と比較して、耐久性に優れるという利点がある。
【００４５】
本発明の実施形態による標識具１０に備わる識別体１は、図示された中空の長円体に限定されない。識別体１は、中実の長円体であってもよく、直方体であってもよく、相反する向きに向かう一対の平坦な把持面１１・１１を有していればよく、高所にあっても視認可能な底面を少なくとも有することが好ましい。
【００４６】
又、本発明の実施形態による標識具１０に備わる形状変化板２は、螺旋状に巻回する巻回形状に必ずしも限定されない。形状変化板２は、渦巻き状に巻回する巻回形状を含むことができる。
【００４７】
次に、本発明の別の施形態による電線用識別標識具の構成及び作用を説明する。図６は、本発明の別の施形態による電線用識別標識具の構成を示す斜視図である。
【００４８】
図６を参照すると、本発明の別の実施形態による標識具３０は、架空線１ｗに取り付けることができる。標識具３０は、識別体３と一対の帯状の形状変化板４・４を備えている。識別体３は、相反する向きに向かう一対の平坦な把持面３１・３１を有している。
【００４９】
図６を参照すると、形状変化板４は、基端部４１が識別体３に固定され、先端部４２が外部に延びている。又、形状変化板４は、弾性を有している。そして、一対の形状変化板４・４は、識別体３の両翼に所定の間隙を有して、配置されている。
【００５０】
図６を参照すると、形状変化板４は、その長手方向と直交する断面が所定の反りを有して、識別体３から自立する伸長形状とすることができる。又、形状変化板４は、反りが矯正されて、形状変化板４の長手方向に沿って架空線１ｗを巻回する巻回形状とすることができる。
【００５１】
図６を参照すると、形状変化板４は、ばね鋼などの金属板４ａと金属板４ａを被覆する絶縁部材４ｂを有している。識別体３は、円環状の金属板３ａと金属板３ａを被覆する絶縁部材３ｂを有している。金属板４ａは、その基端部が金属板３ａの外周に溶接で固定されている。
【００５２】
ここで、本発明の別の実施形態による標識具３０は、図６に示された実施形態に限定されない。識別体３と一対の形状変化板４・４とを絶縁性の合成樹脂で一体に成形してもよい。又、識別体３と一対の形状変化板４・４とを絶縁性の合成樹脂で別体に成形した後に、識別体３と形状変化板４とを接合してもよい。
【００５３】
図６を参照すると、伸長形状の一対の形状変化板４・４を架空線１ｗの外周に向かって衝撃すると、一対の形状変化板４・４の反りが矯正されて、一対の形状変化板４・４は、架空線１ｗを渦巻状に巻回できる。形状変化板４は、架空線１ｗの外周を一巻き未満程度に巻回することが好ましい。
【００５４】
図６を参照すると、本発明の別の実施形態による標識具３０は、図４に示されるホットスティック９を用いて、架空線１ｗに取り付けることができる。図４に示される把持工具９０は、操作レバー９ｄを操作して、標識具３０の把持面３１・３１を確実に把持できる。
【００５５】
図６を参照すると、形状変化板４は、伸長形状にも巻回形状にも変化できるように、予め成形されている。形状変化板４は、その長手方向と直交する断面が円弧状の所定の反りを有しており、形状変化板４の長手方向に巻回する力に抗している。
【００５６】
図６を参照して、形状変化板４の反りが平坦になるように矯正すると、予め成形された巻回形状に復元できる。一方、形状変化板４の巻回形状から伸長するように引き延ばし、更に、形状変化板４に反りが付与されるように矯正すると、予め成形された伸長形状に復元できる。
【００５７】
図６を参照すると、一対の形状変化板４・４は、それらの凸面から架空線１ｗの外周に向かって衝撃することが好ましく、一対の形状変化板４・４の反りが矯正されて、一対の形状変化板４・４は、架空線１ｗを渦巻状に巻回できる。つまり、標識具３０を架空線１ｗに取り付けることができる。
【００５８】
図６を参照すると、識別体３及び形状変化板４は、「赤」、「青」、「黄」などの有彩色で彩色されている。したがって、三相３線の架空線１ｗに標識具３０を取り付けて、第１相（Ｒ相）・第２相（Ｓ相）・第３相（Ｔ相）を色に違いより識別できる。
【００５９】
本発明の別の施形態による標識具３０は、従来の標識具８と比較して、ホットスティック９を用いて、架空線１ｗに容易に取り付けることができる。本発明の別の実施形態による標識具３０は、ホットスティック９を用いて、架空線１ｗに取り付けるので、安全であり、電線用識別標識具の取り付け作業も効率化が促進される。
【００６０】
又、本発明の別の実施形態による標識具３０は、形状変化板４の復元力を利用しているので、架空線１ｗを挟持した状態では、形状変化板４に内部応力は殆ど作用しない。したがって、従来の標識具８と比較して、耐久性に優れるという利点がある。
【００６１】
更に、本発明の別の実施形態による標識具３０は、識別体３の両翼に所定の間隙を有して、一対の形状変化板４・４を配置しているので、一方の形状変化板４が故障しても他方の形状変化板４で架空線１ｗを保持できる、というメリットがある。
【符号の説明】
【００６２】
１  識別体
１ｗ  架空線
２  形状変化板
１０  標識具（電線用識別標識具）
１１・１１  一対の把持面
２１  基端部
２２  先端部
【図１】
2011024311.tif 000003
【図２】
2011024311.tif 000004
【図３】
2011024311.tif 000005
【図４】
2011024311.tif 000006
【図５】
2011024311.tif 000007
【図６】
2011024311.tif 000008
【図７】
2011024311.tif 000009